(57)【要約】【課題】  釣り針(11)およびその釣り針(11)に固定されるハリス(12)を含む仕掛け(10)を円滑に収納するための仕掛け収納ケースを提供する。【解決手段】  仕掛け(10)におけるハリス(12)を収納する収納空間(22)を備える外ケース(20)と、その外ケース(20)における収納空間(22)の上部へ支持されて釣り針(11)を収納する釣り針固定体(30)と、その釣り針固定体(30)を支持するとともに釣り針固定体(30)の外周へ固定される固定具外枠体(40)と、を備える。  固定具外枠体(40)は、釣り針(11)から連続するハリス(12)を収納空間(22)へ導くためのハリス挿入孔(41)を備え、  収納空間(22)は、外ケース(20)および前記の固定具外枠体(40)を含む部材にて囲まれることによって形成される。  ハリス中央(12B)を収納する中間収納空間(22B)は、ハリス先端(12A)を収納する先端収納空間(22A)とへ向かって狭めるように形成する。【選択図】  図２
2016063765.tif 000002
【特許請求の範囲】
【請求項１】
釣り針およびその釣り針に固定されるハリスを含む仕掛けを収納するための仕掛け収納ケースであって、
前記の仕掛けにおける前記のハリスを収納する収納空間を備える外ケースと、
その外ケースにおける収納空間の上部へ支持されて前記の釣り針を収納する釣り針固定体と、
その釣り針固定体を支持するとともに釣り針固定体の外周へ固定される固定具外枠体と、を備え、
その固定具外枠体は、前記の釣り針から連続するハリスを前記の収納空間へ導くためのハリス挿入孔を備え、
前記の収納空間は、前記の外ケースおよび前記の固定具外枠体を含む部材にて囲まれることによって形成されており、
前記のハリスにおけるハリス先端を含む部分を収納する先端収納空間と、
その先端収納空間へ連続するとともに前記のハリス挿入孔へ連通することで前記のハリスにおけるハリス中央を収納する中間収納空間と、を備え、
前記の収納空間は、前記の中間収納空間を前記の先端収納空間へ向かって狭めるように形成した仕掛け収納ケース。
【請求項２】
前記の外ケースは、その平面形状を略長円形とし、
前記の先端収納空間は、前記の略長円形における半円形の部分へ配置し、
前記の中間収納空間は、前記の略長円形における長方形の部分へ配置することとした請求項1に記載の仕掛け収納ケース。
【請求項３】
前記の釣り針固定体は、前記の釣り針固定する針支持マットと、
その針支持マットの外周をはめ込むとともに、前記の固定具外枠体および前記の外ケースへ接するマット固定枠と、を備え、
前記の針支持マットは、その長手方向へ複数の釣り針を並べて固定するものであり、
前記のマット固定枠は、前記の針支持マットにおける長手方向の外側において前記の中間収納空間を形成するとともに、
前記の針支持マットにおける短辺方向の外側において前記の先端収納空間を形成することとした請求項1または請求項２のいずれかに記載の仕掛け収納ケース。
【発明の詳細な説明】
【技術分野】
【０００１】
本発明は、釣り用の仕掛けを収納するために用いる釣り用仕掛け収納ケースに関する。
【背景技術】
【０００２】
釣り用の仕掛けを収納するケースとして、たとえば、特許文献１および特許文献２に示すものが存在する。
特許文献１に示される釣用仕掛け収納ケースは、収納ケース内に設けた台板によって上下に分けられ、上側に釣針収納部、下側に釣糸収納部をそれぞれ形成した釣用仕掛収容ケースである。
【０００３】
前記の台板における長手方向の略中央部には、釣糸収納部に通じる孔を設ける。そして、その孔の側部における台板の略全長に亘ることとなる釣針保持部を設けている。
【０００４】
釣糸収納部が直方体形状に形成され、ハリスを挿入する長孔とは反対側の台板と該台板に隣接する板部とが直角をなしている。そのため、仕掛けにおけるハリスが長い場合には、該台板と該台板と直角の板部とによって構成される角部へハリスが引っかかってしまうことがある。その場合に、ハリスを収納するにはハリスを無理に押し込まなければならず、ハリスを円滑に収納することができない。
【０００５】
前述した問題点を解決するため、特許文献２には、仕掛けにおけるハリスが長い場合でもハリスを円滑に収納することができる釣り用仕掛け収納ケースが開示されている。
すなわち、外側ケースの内壁と、その壁の端面へ糸を案内する湾曲部とを備えることによって、ハリスを円滑に収納できるように意図して製造された釣り用仕掛け収納ケースである。
【先行技術文献】
【特許文献】
【０００６】
【特許文献１】実開平６−６０３７９号公報
【特許文献２】特許第５５４２７０８号公報
【発明の概要】
【発明が解決しようとする課題】
【０００７】
釣用仕掛け収容ケースは、仕掛けの収納は素早く作業して終了させたいという要望が強い。特に、スピードを競う競技では、少しでも早く作業が終わるように、釣り人は急いで作業する。その結果、特許文献２に示されるような技術を実現した釣用仕掛け収容ケースでも、収納空間を形成する壁と壁の間隔が広いためにハリスの先端部分が踊ってしまって、円滑に収納することができない場合がある。
【０００８】
本発明が解決しようとする課題は、ハリスの収納を更に円滑に実行できる仕掛け収納ケースを提供することにある。
【課題を解決するための手段】
【０００９】
本発明は上記問題点を解決するために創作されたものであって、釣り針(11)およびその釣り針(11)に固定されるハリス(12)を含む仕掛け(10)を収納するための仕掛け収納ケースに係る。
すなわち、前記の仕掛け(10)における前記のハリス(12)を収納する収納空間(22)を備える外ケース(20)と、  その外ケース(20)における収納空間(22)の上部へ支持されて前記の釣り針(11)を収納する釣り針固定体(30)と、  その釣り針固定体(30)を支持するとともに釣り針固定体(30)の外周へ固定される固定具外枠体(40)と、を備える。
その固定具外枠体(40)は、前記の釣り針(11)から連続するハリス(12)を前記の収納空間(22)へ導くためのハリス挿入孔(41)を備えている。
前記の収納空間(22)は、前記の外ケース(20)および前記の固定具外枠体(40)を含む部材にて囲まれることによって形成されるものであり、  前記のハリス(12)におけるハリス先端(12A)を含む部分を収納する先端収納空間(22A)と、  その先端収納空間(22A)へ連続するとともに前記のハリス挿入孔(41)へ連通することで前記のハリス(12)におけるハリス中央(12B)を収納する中間収納空間(22B)と、を備える。
そして、前記の収納空間(22)は、前記の中間収納空間(22B)を前記の先端収納空間(22A)へ向かって狭めるように形成した仕掛け収納ケースである。
【００１０】
（用語説明）
収納空間(22)は、「外ケース(20)および固定具外枠体(40)を含む部材にて囲まれることによって形成」される。すなわち、外ケース(20)および固定具外枠体(40)のみで形成されてもよいし、外ケース(20)および固定具外枠体(40)以外の部材（たとえば、後述するマット固定枠(32)）を含むことによって、それらの部材にて囲まれることによって形成されてもよい（外ケース(20)の内側へ配置されるマット固定枠(32)を採用する場合には、マット固定枠(32)と固定具外枠体(40)とによって収納空間(22)を形成している）。
「中間収納空間(22B)を先端収納空間(22A)へ向かって狭めるように形成する」とは、たとえば、直線的にテーパを形成してもよいし、緩やかな湾曲を伴わせて形成してもよい。
【００１１】
（作用）
本発明に係る仕掛け収納ケースに対して、釣り人が釣り針(11)およびその釣り針(11)に固定されるハリス(12)を含む仕掛け(10)を収納する場合について説明する。
まず、釣り人が釣り針(11)をつまみながらハリス先端(12A)を操作し、ハリス挿入孔(41)へ挿入する。すると、そのハリス先端(12A)は、中間収納空間(22B)へ入る。
釣り人が釣り針(11)を操作することで、ハリス先端(12A)を更に押し込む。すると、ハリス先端(12A)は、円滑に先端収納空間(22A)へ導かれる。中間収納空間(22B)が先端収納空間(22A)へ向かって狭めるように形成されているため、ハリス先端(12A)が踊ってしまう空間が狭くなるので、踊りにくくなるからである。
ハリス先端(12A)が先端収納空間(22A)に収まったら、釣り針(11)を釣り針固定体(30)へ収納させる。
【００１２】
（第一の発明のバリエーション１）
第一の発明は、以下のように形成してもよい。
すなわち、  前記の外ケース(20)は、その平面形状を略長円形とし、  前記の先端収納空間(22A)は、前記の略長円形における半円形の部分へ配置し、  前記の中間収納空間(22B)は、前記の略長円形における長方形の部分へ配置するのである。
【００１３】
（作用）
収納されたハリス(12)は、中間収納空間(22B)から先端収納空間(22A)にかけて曲線を描くように収納されるので、ハリス(12)に無理な外力を与えることがない。その一方、ハリスが途中で曲がったり、折れたりせず整頓されて収納されるため、省スペース化を実現できる。そのため、本願に係る仕掛け収納ケースをコンパクトに設計できる。
【００１４】
（第一の発明のバリエーション２）
第一の発明は、以下のように形成してもよい。
すなわち、前記の釣り針固定体(30)は、前記の釣り針(11)を固定する針支持マット(31)と、その針支持マット(31)の外周をはめ込むとともに、前記の固定具外枠体(40)および前記の外ケース(20)へ接するマット固定枠(32)と、を備える。
前記の針支持マット(31)は、その長手方向へ複数の釣り針(11)を並べて固定する。
前記のマット固定枠(32)は、前記の針支持マット(31)における長手方向の外側において前記の中間収納空間(22B)を形成するとともに、前記の針支持マット(31)における短辺方向の外側において前記の先端収納空間(22A)を形成する。
【００１５】
（作用）
釣り針固定体(30)において、針支持マット(31)を、マット固定枠(32)とは別体に形成できる。針支持マット(31)が消耗した場合や、針支持マット(31)の材質または釣り針(11)の固定位置の配置などが好みに合わないような場合には、針支持マット(31)のみを交換できる。
先端収納空間(22A)および中間収納空間(22B)を、マット固定枠(32)へ形成したので、外ケース(20)とは無関係に、先端収納空間(22A)および中間収納空間(22B)の形状や寸法を設計することができる。
【発明の効果】
【００１６】
本発明に係る仕掛け収納ケースによれば、ハリスの収納を更に円滑に実行できる仕掛け収納ケースを提供することができた。
【図面の簡単な説明】
【００１７】
【図１】仕掛け収納ケースの組立斜視図である。
【図２】仕掛け収納ケースの主要部を示す平面図である。
【図３】仕掛け収納ケースの構成部品を示す平面図および部分断面図である。
【図４】仕掛け収納ケースの主要部を示す拡大平面図である。
【発明を実施するための形態】
【００１８】
以下、本願発明を、図面および実施形態によって更に詳しく説明する。ここで使用するのは、図１から図４である。
以下の実施形態においては、鮎釣り用の仕掛けを収納する仕掛け収納ケースを説明するが、釣り針およびその釣り針に固定されるハリスを含む釣り用の仕掛けを収納するケースであれば、本願発明を実施することができる。
【００１９】
本実施形態に係る仕掛け収納ケースは、前記の仕掛け１０における前記のハリス１２を収納する収納空間２２を備える外ケース２０と、  その外ケース２０における収納空間２２の上部へ支持されて前記の釣り針１１を収納する釣り針固定体３０と、  その釣り針固定体３０を支持するとともに釣り針固定体３０の外周へ固定される固定具外枠体４０と、を備えている。
外ケース２０は、その平面形状を長円形としている。そして、釣り針固定体３０および固定具外枠体４０を収納する収納体２１と、その収納体２１と噛み合って収納した釣り針固定体３０および固定具外枠体４０に被さる蓋体２９とを備える。
【００２０】
前記の釣り針固定体３０は、前記の釣り針１１を挟むためのスリットを備えた針支持マット３１と、その針支持マット３１の外周をはめ込むとともに、前記の固定具外枠体４０へ接し、且つ前記の外ケース２０における収納体２１へ収納されるマット固定枠３２と、を備える。
針支持マット３１には、副数本のスリットが平行に備えられており、その長手方向へ複数の釣り針１１を並べて固定することができる（図２参照）。
【００２１】
前記の固定具外枠体４０は、前記の釣り針１１から連続するハリス１２を、前記の収納空間２２へ導くためのハリス挿入孔４１を備えている。このハリス挿入孔４１の平面形状は、固定具外枠体４０の長手方向の中央部が太く、長手方向の両端側へ向かうほど細くなる長孔としている（図３（ａ）参照）。
【００２２】
前記の収納空間２２は、前記のハリス１０におけるハリス先端１２Ａを含む部分を収納する先端収納空間２２Ａと、  その先端収納空間２２Ａへ連続するとともに前記のハリス挿入孔４１へ連通することで前記のハリス１２におけるハリス中央１２Ｂを収納する中間収納空間２２Ｂと、からなる。
そして、前記のマット固定枠３２は、前記の針支持マット３１における長手方向の外側において前記の中間収納空間２２Ｂを形成するとともに（図３（ｃ）参照）、前記の針支持マット３１における短辺方向の外側において前記の先端収納空間２２Ａを形成する（図３（ｂ）参照）。マット固定枠３２の平面形状は、概ね二重リングであって、二つのリングの間は図３（ｃ）に示すように、下側（外ケース２０側）にて繋がっている。
【００２３】
前記の中間収納空間２２Ｂは、前記の先端収納空間２２Ａへ向かって狭めるようにテーパをなしている（図３（ｂ）、図４参照）。すなわち、中間収納空間２２Ｂを形成する壁面のうち本実施形態に係る仕掛け収納ケースの外側に近い方の壁面は先端収納空間２２Ａに向かって鈍角をなし、中間収納空間２２Ｂを形成する壁面のうち本実施形態に係る仕掛け収納ケースの内側の壁面は先端収納空間２２Ａに向かって鋭角をなす。中間収納空間２２Ｂにおける最も広い幅Ｗ１は、先端収納空間２２Ａとの境目の幅Ｗ２の約２倍ほどとしている（図３（ｂ）参照）。
マット固定枠３２における収納空間２２の内側を形成する面（内面３３）の延長線が、収納空間２２の外側を形成する面（外面３４）がぶつかる位置は、中間収納空間２２Ｂに近い位置となる（図４参照）。
【００２４】
本実施形態に係る仕掛け収納ケースに対して、釣り人が釣り針１１およびその釣り針１１に固定されるハリス１２を備えた仕掛け１０を収納する場合について説明する。
まず、釣り人が釣り針１１をつまみながらハリス先端１２Ａを操作し、ハリス挿入孔４１へ挿入する。すると、そのハリス先端１２Ａは、マット固定枠３２の中間収納空間２２Ｂへ入る（図４（ａ）参照）。
【００２５】
釣り人が釣り針１１を操作することで、ハリス先端１２Ａを更に押し込む。すると、ハリス先端１２Ａは、円滑に先端収納空間２２Ａへ導かれる（図４（ｂ）参照）。中間収納空間２２Ｂは、先端収納空間２２Ａへ向かって狭めるように形成されているため、ハリス先端１２Ａが中間収納空間２２Ｂを形成する壁面のうちの外側壁面へ沿って曲がる場合、鈍角なので曲がりやすい。内側の壁面へ沿った場合でも、中間収納空間２２Ｂが狭められていくので、ハリス先端１２Ａが踊ってしまう可能性のある空間は小さくなり、結果として踊らずに先端収納空間２２Ａへ導かれるからである。
【００２６】
ハリス先端１２Ａが先端収納空間２２Ａに収まったら、釣り針１１を釣り針固定体３０における針支持マット３１のスリットへ挟み込んで収納させる。
仕掛け１０の収納が終了したら、蓋体２９を収納ケース２１に対して閉じ、仕掛け収納ケースを所定の場所（たとえば釣り人の胸ポケット）へ収納する。
【００２７】
収納されたハリス１２は、中間収納空間２２Ｂから先端収納空間２２Ａにかけて曲線を描くように収納されるので、収納されているハリス１２に無理な外力が加わらず、ハリス１２が傷つきにくい。その一方、ハリスが途中で曲がったり、折れたりせず整頓されて収納されるため、省スペース化を実現できる。そのため、仕掛け収納ケースをコンパクトに設計できる。結果として、釣り人が本実施形態に係る仕掛け収納ケースを、持ち運ぶのに便利である。
【００２８】
針支持マット３１をマット固定枠３２とは別体として着脱自在としているので、針支持マット３１が消耗した場合や針支持マット３１の材質または釣り針１１の固定位置の配置などが好みに合わないような場合には、針支持マット３１のみを交換できる。
また、収納空間２２である先端収納空間２２Ａおよび中間収納空間２２Ｂをマット固定枠３２へ形成したので、外ケース２０とは無関係に、先端収納空間２２Ａおよび中間収納空間２２Ｂの形状や寸法を設計することができる。
【産業上の利用可能性】
【００２９】
本発明は、釣り具の製造業、販売業またはレンタル業、アウトドアスポーツのインストラクター事業などにおいて、利用可能性を有する。
【符号の説明】
【００３０】
１０  ；仕掛け                  １１  ；釣り針
１２  ；ハリス                  １２Ａ；ハリス先端
１２Ｂ；ハリス中央
２０  ；外ケース                ２１  ；収納体
２２  ；  収納空間              ２２Ａ；先端収納空間
２２Ｂ；中央収納空間
２９  ；蓋体
３０  ；釣り針固定体            ３１  ；針支持マット
３２  ；マット固定枠            ３３  ；内面
３４  ；外面
４０  ；固定具外枠体            ４１  ；ハリス挿入孔
【図１】
2016063765.tif 000003
【図２】
2016063765.tif 000004
【図３】
2016063765.tif 000005
【図４】
2016063765.tif 000006